(57)【特許請求の範囲】
【請求項１】
ユーザ装置と、制御信号を前記ユーザ装置に送信可能な基地局とを備える無線通信システムであって、
前記ユーザ装置に設けられ、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、
前記ユーザ装置に設けられ、複数のアプリケーションを並列的に実行可能なアプリケーション実行部と、
前記各アプリケーションが前記無線通信部を介して実行する通信に関する通信頻度特性を、前記アプリケーション毎に取得する通信頻度特性取得部と、
前記各アプリケーションの通信に用いられるベアラを、前記アプリケーション毎の前記通信頻度特性に応じて、前記アプリケーション毎に決定するベアラ決定部と、
前記無線通信部が前記間欠受信状態に遷移した後、最初に前記受信動作を実行するまでの時間である間欠受信オフセット値を、前記ベアラ毎に決定する間欠受信パラメータ決定部と、
を備え、
前記間欠受信パラメータ決定部は、
前記無線通信部が、前記複数のベアラのうち一のベアラで前記間欠受信状態に遷移した後に、他のベアラで前記間欠受信状態に遷移する場合、前記一のベアラに係る前記受信動作を実行すべき期間において、前記他のベアラに係る最初の前記受信動作が実行されるように、前記各間欠受信オフセット値を決定する、
ことを特徴とする無線通信システム。
【請求項２】
ユーザ装置と、制御信号を前記ユーザ装置に送信可能な基地局とを備える無線通信システムであって、
前記ユーザ装置に設けられ、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、
前記ユーザ装置に設けられ、複数のアプリケーションを並列的に実行可能なアプリケーション実行部と、
前記各アプリケーションが前記無線通信部を介して実行する通信に関する通信頻度特性を、前記アプリケーション毎に取得する通信頻度特性取得部と、
前記各アプリケーションの通信に用いられるベアラを、前記アプリケーション毎の前記通信頻度特性に応じて、前記アプリケーション毎に決定するベアラ決定部と、
前記間欠受信状態において前記無線通信部が前記受信動作を実行する周期である間欠受信周期を、前記各ベアラに割り振られた１以上のアプリケーションの前記通信頻度特性に基づいて、前記ベアラ毎に決定する間欠受信パラメータ決定部と、
を備え、
前記間欠受信パラメータ決定部は、
前記複数のベアラに対応する複数の前記間欠受信周期の各々を、前記複数の間欠受信周期の最小値の自然数倍となるように決定する、
ことを特徴とする無線通信システム。
【請求項３】
制御信号を送信可能な基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、
複数のアプリケーションを並列的に実行可能なアプリケーション実行部と、
前記各アプリケーションが前記無線通信部を介して実行する通信に関する通信頻度特性を、前記アプリケーション毎に取得する通信頻度特性取得部と、
前記各アプリケーションの通信に用いられるベアラを、前記アプリケーション毎の前記通信頻度特性に応じて、前記アプリケーション毎に決定するベアラ決定部と、
前記無線通信部が前記間欠受信状態に遷移した後、最初に前記受信動作を実行するまでの時間である間欠受信オフセット値を、前記ベアラ毎に決定する間欠受信パラメータ決定部と、
を備え、
前記間欠受信パラメータ決定部は、
前記無線通信部が、前記複数のベアラのうち一のベアラで前記間欠受信状態に遷移した後に、他のベアラで前記間欠受信状態に遷移する場合、前記一のベアラに係る前記受信動作を実行すべき期間において、前記他のベアラに係る最初の前記受信動作が実行されるように、前記各間欠受信オフセット値を決定する、
ことを特徴とするユーザ装置。
【請求項４】
制御信号を送信可能な基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、
複数のアプリケーションを並列的に実行可能なアプリケーション実行部と、
前記各アプリケーションが前記無線通信部を介して実行する通信に関する通信頻度特性を、前記アプリケーション毎に取得する通信頻度特性取得部と、
前記各アプリケーションの通信に用いられるベアラを、前記アプリケーション毎の前記通信頻度特性に応じて、前記アプリケーション毎に決定するベアラ決定部と、
前記間欠受信状態において前記無線通信部が前記受信動作を実行する周期である間欠受信周期を、前記各ベアラに割り振られた１以上のアプリケーションの前記通信頻度特性に基づいて、前記ベアラ毎に決定する間欠受信パラメータ決定部と、
を備え、
前記間欠受信パラメータ決定部は、
前記複数のベアラに対応する複数の前記間欠受信周期の各々を、前記複数の間欠受信周期の最小値の自然数倍となるように決定する、
ことを特徴とするユーザ装置。
【請求項５】
制御信号をユーザ装置に送信可能な基地局であって、
前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、複数のアプリケーションを並列的に実行可能なアプリケーション実行部と、を具備するユーザ装置との無線通信を実行する基地局側通信部と、
前記無線通信部が前記間欠受信状態に遷移した後、最初に前記受信動作を実行するまでの時間である間欠受信オフセット値を、前記ベアラ毎に決定する間欠受信パラメータ決定部と、
を備え、
前記各アプリケーションの通信に用いられるベアラは、前記各アプリケーションが前記無線通信部を介して実行する通信に関する前記アプリケーション毎の通信頻度特性に応じて、前記アプリケーション毎に決定され、
前記間欠受信パラメータ決定部は、
前記無線通信部が、前記複数のベアラのうち一のベアラで前記間欠受信状態に遷移した後に、他のベアラで前記間欠受信状態に遷移する場合、前記一のベアラに係る前記受信動作を実行すべき期間において、前記他のベアラに係る最初の前記受信動作が実行されるように、前記各間欠受信オフセット値を決定する、
ことを特徴とする基地局。
【請求項６】
制御信号をユーザ装置に送信可能な基地局であって、
前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、複数のアプリケーションを並列的に実行可能なアプリケーション実行部と、を具備するユーザ装置との無線通信を実行する基地局側通信部と、
前記間欠受信状態において前記無線通信部が前記受信動作を実行する周期である間欠受信周期を、前記ベアラ毎に決定する間欠受信パラメータ決定部と、
を備え、
前記各アプリケーションの通信に用いられるベアラは、前記各アプリケーションが前記無線通信部を介して実行する通信に関する前記アプリケーション毎の通信頻度特性に応じて、前記アプリケーション毎に決定され、
前記間欠受信パラメータ決定部は、
前記複数のベアラに対応する複数の前記間欠受信周期の各々を、前記各ベアラに割り振られた１以上のアプリケーションの前記通信頻度特性に基づいて、前記複数の間欠受信周期の最小値の自然数倍となるように決定する、
ことを特徴とする基地局。
【請求項７】
ユーザ装置と、制御信号を前記ユーザ装置に送信可能な基地局を備えるネットワークであって、
前記ユーザ装置に設けられ、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、
前記ユーザ装置に設けられ、複数のアプリケーションを並列的に実行可能なアプリケーション実行部と、
前記各アプリケーションが前記無線通信部を介して実行する通信に関する通信頻度特性を、前記アプリケーション毎に取得する通信頻度特性取得部と、
前記各アプリケーションの通信に用いられるベアラを、前記アプリケーション毎の前記通信頻度特性に応じて、前記アプリケーション毎に決定するベアラ決定部と、
前記無線通信部が前記間欠受信状態に遷移した後、最初に前記受信動作を実行するまでの時間である間欠受信オフセット値を、前記ベアラ毎に決定する間欠受信パラメータ決定部と、
を備え、
前記間欠受信パラメータ決定部は、
前記無線通信部が、前記複数のベアラのうち一のベアラで前記間欠受信状態に遷移した後に、他のベアラで前記間欠受信状態に遷移する場合、前記一のベアラに係る前記受信動作を実行すべき期間において、前記他のベアラに係る最初の前記受信動作が実行されるように、前記各間欠受信オフセット値を決定する、
ことを特徴とするネットワーク。
【請求項８】
ユーザ装置と、制御信号を前記ユーザ装置に送信可能な基地局を備えるネットワークであって、
前記ユーザ装置に設けられ、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、
前記ユーザ装置に設けられ、複数のアプリケーションを並列的に実行可能なアプリケーション実行部と、
前記各アプリケーションが前記無線通信部を介して実行する通信に関する通信頻度特性を、前記アプリケーション毎に取得する通信頻度特性取得部と、
前記各アプリケーションの通信に用いられるベアラを、前記アプリケーション毎の前記通信頻度特性に応じて、前記アプリケーション毎に決定するベアラ決定部と、
前記間欠受信状態において前記無線通信部が前記受信動作を実行する周期である間欠受信周期を、前記各ベアラに割り振られた１以上のアプリケーションの前記通信頻度特性に基づいて、前記ベアラ毎に決定する間欠受信パラメータ決定部と、
を備え、
前記間欠受信パラメータ決定部は、
前記複数のベアラに対応する複数の前記間欠受信周期の各々を、前記複数の間欠受信周期の最小値の自然数倍となるように決定する、
ことを特徴とするネットワーク。
【請求項９】
制御信号を送信可能な基地局と、
前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部を備えるユーザ装置と
を備える無線通信システムにおける通信制御方法であって、
前記ユーザ装置において、複数のアプリケーションを並列的に実行するステップと、
前記各アプリケーションが前記無線通信部を介して実行する通信に関する通信頻度特性を、前記アプリケーション毎に取得するステップと、
前記各アプリケーションの通信に用いられるベアラを、前記アプリケーション毎の前記通信頻度特性に応じて、前記アプリケーション毎に決定するステップと、
前記無線通信部が前記間欠受信状態に遷移した後、最初に前記受信動作を実行するまでの時間である間欠受信オフセット値を、前記無線通信部が前記複数のベアラのうち一のベアラで前記間欠受信状態に遷移した後に他のベアラで前記間欠受信状態に遷移する場合に前記一のベアラに係る前記受信動作を実行すべき期間において前記他のベアラに係る最初の前記受信動作が実行されるように、前記ベアラ毎に決定するステップと、
を備える、
ことを特徴とする通信制御方法。
【請求項１０】
制御信号を送信可能な基地局と、
前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部を備えるユーザ装置と
を備える無線通信システムにおける通信制御方法であって、
前記ユーザ装置において、複数のアプリケーションを並列的に実行するステップと、
前記各アプリケーションが前記無線通信部を介して実行する通信に関する通信頻度特性を、前記アプリケーション毎に取得するステップと、
前記各アプリケーションの通信に用いられるベアラを、前記アプリケーション毎の前記通信頻度特性に応じて、前記アプリケーション毎に決定するステップと、
前記間欠受信状態において前記無線通信部が前記受信動作を実行する周期である間欠受信周期を、前記各ベアラに割り振られた１以上のアプリケーションの前記通信頻度特性に基づいて、前記ベアラ毎に決定するステップと、
を備え、
前記間欠受信パラメータを決定するステップにおいて、
前記複数のベアラに対応する複数の前記間欠受信周期の各々は、前記複数の間欠受信周期の最小値の自然数倍となるように決定される、
ことを特徴とする通信制御方法。
【発明の詳細な説明】
【技術分野】
【０００１】
本発明は、無線通信システム、ユーザ装置、基地局、ネットワーク、および通信制御方法に関する。
【背景技術】
【０００２】
無線通信システムで用いられるユーザ装置（User Equipment，ＵＥ）において、無線通信が実行されない期間が継続した場合に、間欠受信（Discontinuous Reception，ＤＲＸ）を実行する技術が知られている。以上の技術においては、パケットの送受信に関する制御信号（以下、本明細書において単に「制御信号」と称する場合がある）がユーザ装置に受信される度に、間欠受信状態に遷移すべきことを判定するための間欠受信遷移タイマ（DRX inactivity timer）が起動される。間欠受信遷移タイマが満了するまでに制御信号が受信されない場合、ユーザ装置は間欠受信状態に遷移して制御信号の受信を間欠的に（断続的に）行うようになるので、常に制御信号を受信可能とする（常に連続受信状態が継続する）構成と比較して、ユーザ装置の消費電力を削減することが可能である。
【０００３】
以上のような間欠受信技術として、基地局がユーザ装置へ間欠受信状態への遷移を指示する非特許文献１の技術が例示される。非特許文献１の技術では、ユーザ装置が制御信号を受信しない時間が長くなる程、間欠受信状態中のスリープ期間（受信動作を実行しない期間）の長さを長く設定することで、ユーザ装置の消費電力削減が図られている。
【先行技術文献】
【非特許文献】
【０００４】
【非特許文献１】IEEE Standard 802.16e-2005
【発明の概要】
【発明が解決しようとする課題】
【０００５】
従来の間欠受信技術では、間欠受信に関するパラメータ（例えば、間欠受信状態に遷移するまでの所要時間、間欠受信の実行周期等）がユーザ装置単位で設定されることが一般的である。他方、近年のユーザ装置の高機能・高性能化に伴い、ユーザ装置上で複数のアプリケーション（例えば、ウェブブラウジング用のアプリケーション、ソーシャルネットワーキングサービス用のアプリケーション等）を並列的に実行することが可能となっている。ユーザ装置上で動作するアプリケーションの各々は、それぞれの機能に応じてネットワーク通信（パケットの送受信）を実行することから、それぞれ固有の通信頻度特性（例えば、平均パケット発生間隔等）を有する。そのため、ユーザ装置にて実行されるアプリケーションの組合せによっては、間欠受信に関するパラメータが適切に設定されない可能性があり、ひいては、実行される間欠受信動作が適切でない可能性がある。
【０００６】
以上の事情に鑑み、本発明は、ユーザ装置が複数のアプリケーションを並列的に実行可能な場合においても、適切な間欠受信動作を実行可能とすることを目的とする。
【課題を解決するための手段】
【０００７】
本発明の無線通信システムは、ユーザ装置と、パケットの送受信に関する制御信号を前記ユーザ装置に送信可能な無線通信部を備える基地局とを備える無線通信システムであって、前記ユーザ装置は、前記基地局と確立される複数のベアラを用いて無線通信を実行する無線通信部と、複数のアプリケーションを並列的に実行可能なアプリケーション実行部とを備え、前記ユーザ装置にて実行される前記各アプリケーションが当該ユーザ装置の前記無線通信部を介して実行する通信に関する通信頻度特性を、前記アプリケーション毎に取得する通信頻度特性取得部と、前記各アプリケーションの通信に用いられるベアラを、前記アプリケーション毎の前記通信頻度特性に応じて、前記アプリケーション毎に決定するベアラ決定部とを備える。
【０００８】
以上の構成によれば、アプリケーション毎に取得された通信頻度特性に基づいて各アプリケーションの通信に用いられるベアラが決定されるから、通信頻度特性に基づかずにベアラが決定される構成と比較して、各アプリケーションの通信がより適切な属性を有するベアラに割り振られ得る。
【０００９】
本発明の好適な態様において、前記ユーザ装置の前記無線通信部は、前記制御信号を受信する受信動作を連続的に実行する連続受信状態および前記受信動作を間欠的に実行する間欠受信状態にて動作可能であり、前記無線通信システムは、前記ユーザ装置の前記無線通信部が実行する間欠受信の制御に用いられる間欠受信パラメータとして、（ａ）前記連続受信状態において前記ユーザ装置が制御信号を受信しなくなってから前記間欠受信状態に遷移するまでの所要時間である遷移タイマ値と、（ｂ）前記間欠受信状態に遷移した後、前記ユーザ装置が最初に前記受信動作を実行する時間である間欠受信オフセット値と、（ｃ）前記間欠受信状態において前記ユーザ装置が前記受信動作を実行する周期である間欠受信周期と、（ｄ）前記間欠受信状態において１回の前記受信動作が継続する時間である間欠受信継続時間と、（ｅ）前記ユーザ装置が前記間欠受信状態を開始してから満了するまでの所要時間である間欠受信完了タイマ値との少なくともいずれかを、前記各ベアラに割り振られた１以上のアプリケーションの前記通信頻度特性に基づいて、前記ベアラ毎に決定する間欠受信パラメータ決定部を備え、前記ユーザ装置は、前記ベアラ毎に決定された複数の前記間欠受信パラメータに基づいて、当該ユーザ装置の前記無線通信部の受信状態遷移と間欠受信状態における受信動作とを制御する間欠受信制御部を備え、前記基地局は、前記ユーザ装置の前記無線通信部が受信動作を実行しているか否かを、前記ベアラ毎に決定された複数の前記間欠受信パラメータに基づいて判定し、当該ユーザ装置の前記無線通信部が受信動作を実行していると判定される期間において制御信号を送信するように当該基地局の前記無線通信部を制御する送信制御部を備える。
【００１０】
以上の構成によれば、各アプリケーションの通信頻度特性に基づいてベアラ毎に決定された間欠受信パラメータに基づいてユーザ装置の受信状態遷移および受信状態における受信動作が制御されるので、ユーザ装置単位で決定された間欠受信パラメータに基づいて制御される構成と比較して、より柔軟な制御が可能となる。特に、あるベアラについて間欠受信完了タイマ値が満了した後には、そのベアラ以外のベアラについて決定された間欠受信パラメータに基づいて制御することが可能となる。
【００１１】
本発明の好適な態様において、前記間欠受信パラメータ決定部は、前記遷移タイマ値、前記間欠受信オフセット値、前記間欠受信周期、および前記間欠受信完了タイマ値を前記間欠受信パラメータとして決定する。
【００１２】
また、本発明の無線通信システムは、ユーザ装置と、制御信号を前記ユーザ装置に送信可能な基地局とを備える無線通信システムであって、前記ユーザ装置に設けられ、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、前記ユーザ装置に設けられ、複数のアプリケーションを並列的に実行可能なアプリケーション実行部と、前記各アプリケーションが前記無線通信部を介して実行する通信に関する通信頻度特性を、前記アプリケーション毎に取得する通信頻度特性取得部と、前記各アプリケーションの通信に用いられるベアラを、前記アプリケーション毎の前記通信頻度特性に応じて、前記アプリケーション毎に決定するベアラ決定部と、前記無線通信部が前記間欠受信状態に遷移した後、最初に前記受信動作を実行するまでの時間である間欠受信オフセット値を、前記ベアラ毎に決定する間欠受信パラメータ決定部と、を備え、前記間欠受信パラメータ決定部は、前記無線通信部が、前記複数のベアラのうち一のベアラで前記間欠受信状態に遷移した後に、他のベアラで前記間欠受信状態に遷移する場合、前記一のベアラに係る前記受信動作を実行すべき期間において、前記他のベアラに係る最初の前記受信動作が実行されるように、前記各間欠受信オフセット値を決定する。
以上の構成によれば、各ベアラについて間欠受信状態に遷移した直後に受信動作を実行すべきと判定される構成と比較して、受信動作を実行すべき期間がベアラ毎に共通となるケースが増大するので、間欠受信状態のユーザ装置における受信動作の総実行時間が削減され得、ひいてはユーザ装置の消費電力が削減され得る。
【００１３】
また、本発明の無線通信システムは、ユーザ装置と、制御信号を前記ユーザ装置に送信可能な基地局とを備える無線通信システムであって、前記ユーザ装置に設けられ、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、前記ユーザ装置に設けられ、複数のアプリケーションを並列的に実行可能なアプリケーション実行部と、前記各アプリケーションが前記無線通信部を介して実行する通信に関する通信頻度特性を、前記アプリケーション毎に取得する通信頻度特性取得部と、前記各アプリケーションの通信に用いられるベアラを、前記アプリケーション毎の前記通信頻度特性に応じて、前記アプリケーション毎に決定するベアラ決定部と、前記間欠受信状態において前記無線通信部が前記受信動作を実行する周期である間欠受信周期を、前記各ベアラに割り振られた１以上のアプリケーションの前記通信頻度特性に基づいて、前記ベアラ毎に決定する間欠受信パラメータ決定部と、を備え、前記間欠受信パラメータ決定部は、前記複数のベアラに対応する複数の前記間欠受信周期の各々を、前記複数の間欠受信周期の最小値の自然数倍となるように決定する、ことを特徴とする。
以上の構成によれば、各間欠受信周期が、ユーザ装置における間欠受信周期の最小値を整数倍した値になるように決定されることにより、最小の間欠受信周期に基づいて判定された受信動作を実行すべき期間と、その他の（すなわち、より大きい）間欠受信周期に基づいて判定された受信動作を実行すべき期間とが重畳されることとなる。したがって、以上のような制限を加えずに任意にベアラ毎の間欠受信周期が設定される構成と比較して、受信動作を実行すべき期間がベアラ毎に共通となるケースが増大するので、間欠受信状態のユーザ装置における受信動作の総実行時間が削減され得、ひいてはユーザ装置の消費電力が削減され得る。
【００１４】
本発明のユーザ装置は、基地局と確立される複数のベアラを用いて無線通信を実行する無線通信部と、複数のアプリケーションを並列的に実行可能なアプリケーション実行部と、前記各アプリケーションが前記無線通信部を介して実行する通信に関する通信頻度特性を、前記アプリケーション毎に取得する通信頻度特性取得部と、前記各アプリケーションの通信に用いられるベアラを、前記アプリケーション毎の前記通信頻度特性に応じて、前記アプリケーション毎に決定するベアラ決定部とを備える。
【００１５】
本発明の好適な態様において、ユーザ装置の前記無線通信部は、前記基地局から送信される、パケットの送受信に関する制御信号を受信する受信動作を連続的に実行する連続受信状態および前記受信動作を間欠的に実行する間欠受信状態にて動作可能であり、前記無線通信部が実行する間欠受信の制御に用いられる間欠受信パラメータとして、（ａ）前記連続受信状態において前記ユーザ装置が制御信号を受信しなくなってから前記間欠受信状態に遷移するまでの所要時間である遷移タイマ値と、（ｂ）前記間欠受信状態に遷移した後、前記ユーザ装置が最初に前記受信動作を実行する時間である間欠受信オフセット値と、（ｃ）前記間欠受信状態において前記ユーザ装置が前記受信動作を実行する周期である間欠受信周期と、（ｄ）前記間欠受信状態において１回の前記受信動作が継続する時間である間欠受信継続時間と、（ｅ）前記ユーザ装置が前記間欠受信状態を開始してから満了するまでの所要時間である間欠受信完了タイマ値との少なくともいずれかを、前記各ベアラに割り振られた１以上のアプリケーションの前記通信頻度特性に基づいて、前記ベアラ毎に決定する間欠受信パラメータ決定部と、前記ベアラ毎に決定された複数の前記間欠受信パラメータに基づいて、前記無線通信部の受信状態遷移と間欠受信状態における受信動作とを制御する間欠受信制御部とを備える。
【００１６】
本発明の好適な態様において、ユーザ装置の前記間欠受信パラメータ決定部は、前記遷移タイマ値、前記間欠受信オフセット値、前記間欠受信周期、および前記間欠受信完了タイマ値を前記間欠受信パラメータとして決定する。
【００１７】
また、本発明のユーザ装置は、制御信号を送信可能な基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、複数のアプリケーションを並列的に実行可能なアプリケーション実行部と、前記各アプリケーションが前記無線通信部を介して実行する通信に関する通信頻度特性を、前記アプリケーション毎に取得する通信頻度特性取得部と、前記各アプリケーションの通信に用いられるベアラを、前記アプリケーション毎の前記通信頻度特性に応じて、前記アプリケーション毎に決定するベアラ決定部と、前記無線通信部が前記間欠受信状態に遷移した後、最初に前記受信動作を実行するまでの時間である間欠受信オフセット値を、前記ベアラ毎に決定する間欠受信パラメータ決定部と、を備え、前記間欠受信パラメータ決定部は、前記無線通信部が、前記複数のベアラのうち一のベアラで前記間欠受信状態に遷移した後に、他のベアラで前記間欠受信状態に遷移する場合、前記一のベアラに係る前記受信動作を実行すべき期間において、前記他のベアラに係る最初の前記受信動作が実行されるように、前記各間欠受信オフセット値を決定する、ことを特徴とする。
また、本発明のユーザ装置は、制御信号を送信可能な基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、複数のアプリケーションを並列的に実行可能なアプリケーション実行部と、前記各アプリケーションが前記無線通信部を介して実行する通信に関する通信頻度特性を、前記アプリケーション毎に取得する通信頻度特性取得部と、前記各アプリケーションの通信に用いられるベアラを、前記アプリケーション毎の前記通信頻度特性に応じて、前記アプリケーション毎に決定するベアラ決定部と、前記間欠受信状態において前記無線通信部が前記受信動作を実行する周期である間欠受信周期を、前記各ベアラに割り振られた１以上のアプリケーションの前記通信頻度特性に基づいて、前記ベアラ毎に決定する間欠受信パラメータ決定部と、を備え、前記間欠受信パラメータ決定部は、前記複数のベアラに対応する複数の前記間欠受信周期の各々を、前記複数の間欠受信周期の最小値の自然数倍となるように決定する、ことを特徴とする。
【００１８】
本発明の基地局は、パケットの送受信に関する制御信号を送信可能な無線通信部を備える基地局と、前記制御信号を受信する受信動作を連続的に実行する連続受信状態および前記受信動作を間欠的に実行する間欠受信状態にて動作可能であり、通信可能な複数のアプリケーションを実行するユーザ装置とを備える無線通信システムが有する基地局であって、前記各アプリケーションの通信はベアラを用いて実行され、前記ベアラは前記ユーザ装置と前記基地局とに確立され、前記ユーザ装置にて実行される通信に関する通信頻度特性は前記アプリケーション毎に取得され、前記ベアラは前記アプリケーション毎の前記通信頻度特性に応じて前記アプリケーション毎に決定され、前記ユーザ装置が実行する間欠受信の制御に用いられる間欠受信パラメータとして、（ａ）前記連続受信状態において前記ユーザ装置が制御信号を受信しなくなってから前記間欠受信状態に遷移するまでの所要時間である遷移タイマ値と、（ｂ）前記間欠受信状態に遷移した後、前記ユーザ装置が最初に前記受信動作を実行する時間である間欠受信オフセット値と、（ｃ）前記間欠受信状態において前記ユーザ装置が前記受信動作を実行する周期である間欠受信周期と、（ｄ）前記間欠受信状態において１回の前記受信動作が継続する時間である間欠受信継続時間と、（ｅ）前記ユーザ装置が前記間欠受信状態を開始してから満了するまでの所要時間である間欠受信完了タイマ値との少なくともいずれかを、前記各ベアラに割り振られた１以上のアプリケーションの前記通信頻度特性に基づいて、前記ベアラ毎に決定する間欠受信パラメータ決定部と、前記ユーザ装置が受信動作を実行しているか否かを、前記ベアラ毎に決定された複数の前記間欠受信パラメータに基づいて判定し、当該ユーザ装置が受信動作を実行していると判定される期間において制御信号を送信するように前記無線通信部を制御する送信制御部とを備える。
【００１９】
本発明の好適な態様において、基地局の前記間欠受信パラメータ決定部は、前記遷移タイマ値、前記間欠受信オフセット値、前記間欠受信周期、および前記間欠受信完了タイマ値を前記間欠受信パラメータとして決定する。
【００２０】
また、本発明の基地局は、制御信号をユーザ装置に送信可能な基地局であって、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、複数のアプリケーションを並列的に実行可能なアプリケーション実行部と、を具備するユーザ装置との無線通信を実行する基地局側通信部と、前記無線通信部が前記間欠受信状態に遷移した後、最初に前記受信動作を実行するまでの時間である間欠受信オフセット値を、前記ベアラ毎に決定する間欠受信パラメータ決定部と、を備え、前記各アプリケーションの通信に用いられるベアラは、前記各アプリケーションが前記無線通信部を介して実行する通信に関する前記アプリケーション毎の通信頻度特性に応じて、前記アプリケーション毎に決定され、前記間欠受信パラメータ決定部は、前記無線通信部が、前記複数のベアラのうち一のベアラで前記間欠受信状態に遷移した後に、他のベアラで前記間欠受信状態に遷移する場合、前記一のベアラに係る前記受信動作を実行すべき期間において、前記他のベアラに係る最初の前記受信動作が実行されるように、前記各間欠受信オフセット値を決定する、ことを特徴とする。
また、本発明の基地局は、制御信号をユーザ装置に送信可能な基地局であって、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、複数のアプリケーションを並列的に実行可能なアプリケーション実行部と、を具備するユーザ装置との無線通信を実行する基地局側通信部と、前記間欠受信状態において前記無線通信部が前記受信動作を実行する周期である間欠受信周期を、前記ベアラ毎に決定する間欠受信パラメータ決定部と、を備え、前記各アプリケーションの通信に用いられるベアラは、前記各アプリケーションが前記無線通信部を介して実行する通信に関する前記アプリケーション毎の通信頻度特性に応じて、前記アプリケーション毎に決定され、前記間欠受信パラメータ決定部は、前記複数のベアラに対応する複数の前記間欠受信周期の各々を、前記各ベアラに割り振られた１以上のアプリケーションの前記通信頻度特性に基づいて、前記複数の間欠受信周期の最小値の自然数倍となるように決定する、ことを特徴とする。
【００２１】
本発明のネットワークは、パケットの送受信に関する制御信号をユーザ装置に送信可能な無線通信部を備える基地局を備えるネットワークであって、前記ユーザ装置は、通信可能な複数のアプリケーションを実行可能であり、前記ユーザ装置にて実行される前記各アプリケーションが当該ユーザ装置の前記無線通信部を介して実行する通信に関する通信頻度特性を、前記アプリケーション毎に取得する通信頻度特性取得部と、前記各アプリケーションの通信に用いられるベアラを、前記アプリケーション毎の前記通信頻度特性に応じて、前記アプリケーション毎に決定するベアラ決定部とを備える。
【００２２】
本発明の好適な態様において、前記ユーザ装置は、前記制御信号を受信する受信動作を連続的に実行する連続受信状態および前記受信動作を間欠的に実行する間欠受信状態にて動作可能であり、ネットワークは、前記ユーザ装置の前記無線通信部が実行する間欠受信の制御に用いられる間欠受信パラメータとして、（ａ）前記連続受信状態において前記ユーザ装置が制御信号を受信しなくなってから前記間欠受信状態に遷移するまでの所要時間である遷移タイマ値と、（ｂ）前記間欠受信状態に遷移した後、前記ユーザ装置が最初に前記受信動作を実行する時間である間欠受信オフセット値と、（ｃ）前記間欠受信状態において前記ユーザ装置が前記受信動作を実行する周期である間欠受信周期と、（ｄ）前記間欠受信状態において１回の前記受信動作が継続する時間である間欠受信継続時間と、（ｅ）前記ユーザ装置が前記間欠受信状態を開始してから満了するまでの所要時間である間欠受信完了タイマ値との少なくともいずれかを、前記各ベアラに割り振られた１以上のアプリケーションの前記通信頻度特性に基づいて、前記ベアラ毎に決定する間欠受信パラメータ決定部をさらに備え、前記基地局は、前記ユーザ装置が受信動作を実行しているか否かを、前記ベアラ毎に決定された複数の前記間欠受信パラメータに基づいて判定し、当該ユーザ装置が受信動作を実行していると判定される期間において制御信号を送信するように前記無線通信部を制御する送信制御部とを備える。
【００２３】
本発明の好適な態様において、ネットワークの前記間欠受信パラメータ決定部は、前記遷移タイマ値、前記間欠受信オフセット値、前記間欠受信周期、および前記間欠受信完了タイマ値を前記間欠受信パラメータとして決定する。
【００２４】
また、本発明のネットワークは、ユーザ装置と、制御信号を前記ユーザ装置に送信可能な基地局を備えるネットワークであって、前記ユーザ装置に設けられ、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、前記ユーザ装置に設けられ、複数のアプリケーションを並列的に実行可能なアプリケーション実行部と、前記各アプリケーションが前記無線通信部を介して実行する通信に関する通信頻度特性を、前記アプリケーション毎に取得する通信頻度特性取得部と、前記各アプリケーションの通信に用いられるベアラを、前記アプリケーション毎の前記通信頻度特性に応じて、前記アプリケーション毎に決定するベアラ決定部と、前記無線通信部が前記間欠受信状態に遷移した後、最初に前記受信動作を実行するまでの時間である間欠受信オフセット値を、前記ベアラ毎に決定する間欠受信パラメータ決定部と、を備え、前記間欠受信パラメータ決定部は、前記無線通信部が、前記複数のベアラのうち一のベアラで前記間欠受信状態に遷移した後に、他のベアラで前記間欠受信状態に遷移する場合、前記一のベアラに係る前記受信動作を実行すべき期間において、前記他のベアラに係る最初の前記受信動作が実行されるように、前記各間欠受信オフセット値を決定する、ことを特徴とする。
また、本発明のネットワークは、ユーザ装置と、制御信号を前記ユーザ装置に送信可能な基地局を備えるネットワークであって、前記ユーザ装置に設けられ、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部と、前記ユーザ装置に設けられ、複数のアプリケーションを並列的に実行可能なアプリケーション実行部と、前記各アプリケーションが前記無線通信部を介して実行する通信に関する通信頻度特性を、前記アプリケーション毎に取得する通信頻度特性取得部と、前記各アプリケーションの通信に用いられるベアラを、前記アプリケーション毎の前記通信頻度特性に応じて、前記アプリケーション毎に決定するベアラ決定部と、前記間欠受信状態において前記無線通信部が前記受信動作を実行する周期である間欠受信周期を、前記各ベアラに割り振られた１以上のアプリケーションの前記通信頻度特性に基づいて、前記ベアラ毎に決定する間欠受信パラメータ決定部と、を備え、前記間欠受信パラメータ決定部は、前記複数のベアラに対応する複数の前記間欠受信周期の各々を、前記複数の間欠受信周期の最小値の自然数倍となるように決定する、ことを特徴とする。
【００２５】
本発明の通信制御方法は、パケットの送受信に関する制御信号を送信可能な無線通信部を備える基地局と、前記基地局と確立される複数のベアラを用いて無線通信を実行可能な無線通信部を備えるユーザ装置とを備える無線通信システムにおける通信制御方法であって、前記ユーザ装置において、複数のアプリケーションを並列的に実行することと、前記ユーザ装置にて実行される前記各アプリケーションが当該ユーザ装置の前記無線通信部を介して実行する通信に関する通信頻度特性を、前記アプリケーション毎に取得することと、前記各アプリケーションの通信に用いられるベアラを、前記アプリケーション毎の前記通信頻度特性に応じて、前記アプリケーション毎に決定することとを備える。
【００２６】
本発明の好適な態様において、前記ユーザ装置の前記無線通信部は、前記制御信号を受信する受信動作を連続的に実行する連続受信状態および前記受信動作を間欠的に実行する間欠受信状態にて動作可能であり、通信制御方法は、前記ユーザ装置の前記無線通信部が実行する間欠受信の制御に用いられる間欠受信パラメータとして、（ａ）前記連続受信状態において前記ユーザ装置が制御信号を受信しなくなってから前記間欠受信状態に遷移するまでの所要時間である遷移タイマ値と、（ｂ）前記間欠受信状態に遷移した後、前記ユーザ装置が最初に前記受信動作を実行する時間である間欠受信オフセット値と、（ｃ）前記間欠受信状態において前記ユーザ装置が前記受信動作を実行する周期である間欠受信周期と、（ｄ）前記間欠受信状態において１回の前記受信動作が継続する時間である間欠受信継続時間と、（ｅ）前記ユーザ装置が前記間欠受信状態を開始してから満了するまでの所要時間である間欠受信完了タイマ値との少なくともいずれかを、前記各ベアラに割り振られた１以上のアプリケーションの前記通信頻度特性に基づいて、前記ベアラ毎に決定することと、前記ユーザ装置において、前記ベアラ毎に決定された複数の前記間欠受信パラメータに基づいて、当該ユーザ装置の前記無線通信部の受信状態遷移と間欠受信状態における受信動作とを制御することと、前記基地局において、前記ユーザ装置の前記無線通信部が受信動作を実行しているか否かを、前記ベアラ毎に決定された複数の前記間欠受信パラメータに基づいて判定し、当該ユーザ装置の前記無線通信部が受信動作を実行していると判定される期間において制御信号を送信するように当該基地局の前記無線通信部を制御することとを備える。
【００２７】
本発明の好適な態様では、前記間欠受信パラメータを決定することにおいて、前記遷移タイマ値、前記間欠受信オフセット値、前記間欠受信周期、および前記間欠受信完了タイマ値を前記間欠受信パラメータとして決定する。
【００２８】
また、本発明の通信制御方法は、制御信号を送信可能な基地局と、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部を備えるユーザ装置とを備える無線通信システムにおける通信制御方法であって、前記ユーザ装置において、複数のアプリケーションを並列的に実行するステップと、前記各アプリケーションが前記無線通信部を介して実行する通信に関する通信頻度特性を、前記アプリケーション毎に取得するステップと、前記各アプリケーションの通信に用いられるベアラを、前記アプリケーション毎の前記通信頻度特性に応じて、前記アプリケーション毎に決定するステップと、前記無線通信部が前記間欠受信状態に遷移した後、最初に前記受信動作を実行するまでの時間である間欠受信オフセット値を、前記無線通信部が前記複数のベアラのうち一のベアラで前記間欠受信状態に遷移した後に他のベアラで前記間欠受信状態に遷移する場合に前記一のベアラに係る前記受信動作を実行すべき期間において前記他のベアラに係る最初の前記受信動作が実行されるように、前記ベアラ毎に決定するステップと、を備える、ことを特徴とする。
また、本発明の通信制御方法は、制御信号を送信可能な基地局と、前記基地局と確立される複数のベアラを用いて無線通信を実行し、前記制御信号の受信動作を連続的に実行する連続受信状態、及び、前記受信動作を間欠的に実行する間欠受信状態にて、前記ベアラ毎に動作可能な無線通信部を備えるユーザ装置とを備える無線通信システムにおける通信制御方法であって、前記ユーザ装置において、複数のアプリケーションを並列的に実行するステップと、前記各アプリケーションが前記無線通信部を介して実行する通信に関する通信頻度特性を、前記アプリケーション毎に取得するステップと、前記各アプリケーションの通信に用いられるベアラを、前記アプリケーション毎の前記通信頻度特性に応じて、前記アプリケーション毎に決定するステップと、前記間欠受信状態において前記無線通信部が前記受信動作を実行する周期である間欠受信周期を、前記各ベアラに割り振られた１以上のアプリケーションの前記通信頻度特性に基づいて、前記ベアラ毎に決定するステップと、を備え、前記間欠受信パラメータを決定するステップにおいて、前記複数のベアラに対応する複数の前記間欠受信周期の各々は、前記複数の間欠受信周期の最小値の自然数倍となるように決定される、ことを特徴とする。
【図面の簡単な説明】
【００２９】
【図１】本発明の実施形態に係る無線通信システムを示すブロック図である。
【図２】本発明の実施形態に係るユーザ装置の構成を示すブロック図である。
【図３】本発明の実施形態に係る基地局の構成を示すブロック図である。
【図４】本発明の実施形態に係るゲートウェイの構成を示すブロック図である。
【図５】実施形態におけるアプリケーションによる通信とベアラとの関係を例示する図である。
【図６】連続受信状態から間欠受信状態へ遷移する際のユーザ装置および基地局の動作の説明図である。
【図７】ユーザ装置にて複数のアプリケーションが実行される場合の間欠受信動作の説明図である。
【図８】複数のアプリケーションによる通信に適した間欠受信動作の説明図である。
【図９】間欠受信動作における問題点の一例を示す図である。
【図１０】間欠受信動作における問題点の一例を示す図である。
【図１１】ユーザ装置と基地局との無線通信に用いられる無線フレームの構成を示す図である。
【図１２】間欠受信状態を開始すべき時刻がベアラ毎に相違する場合の間欠受信動作の一例を示す図である。
【図１３】間欠受信周期がベアラ毎に相違する場合の間欠受信動作の一例を示す図である。
【発明を実施するための形態】
【００３０】
１．無線通信システムの構成
図１は、本発明の実施形態に係る無線通信システム１のブロック図である。無線通信システム１は、ユーザ装置（User Equipment，ＵＥ）１０とネットワークＮＷとを備える。ネットワークＮＷは、基地局２０と、交換局３０と、ゲートウェイ４０とをノードとして備える。ユーザ装置１０は、基地局２０と無線で接続する。基地局２０は、交換局３０およびゲートウェイ４０と有線で接続される。なお、ネットワークＮＷ内のノード同士が無線で接続される構成も採用可能である。ネットワークＮＷは、ゲートウェイ４０を接続点として、外部ネットワークであるインターネットＩＮに接続される。図１をはじめ、本実施形態では便宜的に１つのユーザ装置１０、１つの基地局２０、１つの交換局３０、１つのゲートウェイ４０のみが例示されるが、無線通信システム１が、複数のユーザ装置１０、複数の基地局２０、複数の交換局３０、および複数のゲートウェイ４０を含み得ることは当然に理解される。
【００３１】
無線通信システム１内の各要素は、所定のアクセス技術（Access Technology）、例えば３ＧＰＰ規格（Third Generation Partnership Project）に規定されるＬＴＥ／ＳＡＥ（Long Term Evolution / System Architecture Evolution）に従って通信を実行する。本実施形態では、無線通信システム１がＬＴＥ／ＳＡＥに従って動作する形態を例示して説明するが、本発明の技術的範囲を限定する趣旨ではない。本発明は、必要な設計上の変更を施した上で、他のアクセス技術にも適用可能である。なお、ユーザ装置１０と基地局２０との間の無線通信の方式は任意である。例えば、下りリンクではＯＦＤＭＡ（Orthogonal Frequency Division Multiple Access）が採用され得、上りリンクではＳＣ−ＦＤＭＡ（Single-Carrier Frequency Division Multiple Access）が採用され得る。
【００３２】
１（１）．ユーザ装置の構成
図２は、実施形態のユーザ装置１０の構成を示すブロック図である。ユーザ装置１０は、無線通信部１１０と制御部１２０とを備える。なお、音声・映像等を出力する出力装置およびユーザからの指示を受け付ける入力装置等の図示は便宜的に省略されている。
【００３３】
無線通信部１１０は、基地局２０と無線通信を実行するための要素であり、送受信アンテナと、基地局２０から電波を受信して電気信号に変換する変換回路と、音声信号等の電気信号を電波に変換して送信する送信回路とを含む。無線通信部１１０は、基地局２０と確立される複数のベアラＢを用いて無線通信を実行する。無線通信部１１０は、基地局２０から送信される、パケットの送受信に関する制御信号を受信する受信動作を連続的に実行する連続受信状態、および受信動作を間欠的に実行する間欠受信状態にて動作することが可能である。無線通信部１１０は、受信した制御信号に基づいてパケットの送受信を実行する。
【００３４】
制御部１２０は、通信割振部１２２と、アプリケーション実行部１２４と、通信頻度特性取得部１２６と、ベアラ決定部１２８と、間欠受信制御部１３０とを備える。アプリケーション実行部１２４は、複数のアプリケーションＡ（Ａ１，Ａ２，Ａ３，…）を並列的に実行することが可能である（なお、図２における「アプリ」は、「アプリケーション」の省略表記である。他の図においても同様である）。各アプリケーションＡは、無線通信部１１０を介して通信（パケットの送受信）を実行することが可能である。通信頻度特性取得部１２６は、各アプリケーションＡの通信頻度特性ＶＣ（例えば、平均パケット発生間隔）を、アプリケーションＡ毎に取得する。ベアラ決定部１２８は、各アプリケーションＡの通信に用いられるベアラＢを、アプリケーションＡ（Ａ１，Ａ２，Ａ３，…）毎に取得された通信頻度特性ＶＣ（ＶＣ１，ＶＣ２，ＶＣ３，…）に応じてアプリケーションＡ毎に決定し、アプリケーションＡとベアラＢとの対応情報を通信割振部１２２に通知する。通信割振部１２２は、ベアラ決定部１２８から通知された対応情報に基づいて各アプリケーションＡの通信を各ベアラＢに割り振る。間欠受信制御部１３０は、後述される間欠受信パラメータＤＰに基づいて、無線通信部１１０の受信状態遷移と、間欠受信状態における受信動作とを制御する。以上の動作の詳細については後述される。
【００３５】
制御部１２０および制御部１２０に含まれる各要素（通信割振部１２２、アプリケーション実行部１２４、通信頻度特性取得部１２６、ベアラ決定部１２８、および間欠受信制御部１３０）は、ユーザ装置１０内の図示しないＣＰＵ（Central Processing Unit）が、図示しない記憶部に記憶されたコンピュータプログラムを実行し、そのコンピュータプログラムに従って機能することにより実現される機能ブロックである。また、アプリケーション実行部１２４にて実行される各アプリケーションＡ（Ａ１，Ａ２，Ａ３，…）も同様である。アプリケーションＡは、ユーザ装置１０の製造時に記憶部に記憶されてもよいし、インターネットＩＮ等からユーザ装置１０にダウンロードされて記憶部に記憶されてもよい。
【００３６】
１（２）．基地局の構成
図３は、実施形態の基地局２０の構成を示すブロック図である。基地局２０は、無線通信部２１０とネットワーク通信部２２０と制御部２３０とを備える。
無線通信部２１０は、ユーザ装置１０に無線信号（制御信号およびパケット）を送信可能な要素であり、送受信アンテナと、ユーザ装置１０から電波を受信して電気信号に変換する受信回路と、音声信号等の電気信号を電波に変換して送信する送信回路とを含む。
【００３７】
ネットワーク通信部２２０は、ネットワークＮＷ内の各ノードと通信を実行するための要素であり、他のノードとの間で電気信号を送受信する。基地局２０が他のノードと無線にて通信を実行する場合は、無線通信部２１０がネットワーク通信部２２０を兼ねる構成も採用可能である。
【００３８】
制御部２３０は、転送部２３２と、間欠受信パラメータ決定部２３４と、送信制御部２３６と、間欠受信パラメータ送信部２３８とを備える。転送部２３２は、無線通信部２１０を介して受信したユーザ装置１０からの信号（パケット）をネットワーク通信部２２０を介して他のノード（ゲートウェイ４０等）に転送すると共に、ネットワーク通信部２２０を介して受信した他のノード（ゲートウェイ４０等）からのユーザ装置１０宛ての信号（パケット）をそのユーザ装置１０に転送する。間欠受信パラメータ決定部２３４は、ユーザ装置１０の無線通信部１１０が実行する間欠受信の制御に用いられる間欠受信パラメータＤＰを、各ベアラＢに割り振られた１以上のアプリケーションＡの通信頻度特性ＣＶに基づいて、ベアラＢ毎に決定する。送信制御部２３６は、ユーザ装置１０の無線通信部１１０が受信動作を実行しているか否かを間欠受信パラメータＤＰに基づいて判定し、受信動作が実行されていると判定される期間において制御信号およびパケットを送信するように基地局２０の無線通信部２１０を制御する。間欠受信パラメータ送信部２３８は、取得された間欠受信パラメータＤＰを無線通信部２１０を介してユーザ装置１０に送信する。以上の動作の詳細については後述される。
【００３９】
制御部２３０および制御部２３０に含まれる各要素（転送部２３２、間欠受信パラメータ決定部２３４、送信制御部２３６、および間欠受信パラメータ送信部２３８）は、基地局２０内の図示しないＣＰＵが、図示しない記憶部に記憶されたコンピュータプログラムを実行し、そのコンピュータプログラムに従って機能することにより実現される機能ブロックである。
【００４０】
１（３）．ゲートウェイの構成
図４は、実施形態のゲートウェイ４０の構成を示すブロック図である。ゲートウェイ４０は、ネットワーク通信部４１０と外部通信部４２０と制御部４３０とを備える。
ネットワーク通信部４１０は、ネットワークＮＷ内の各ノードと通信を実行するための要素であり、他のノードとの間で有線または無線で電気信号を送受信する。外部通信部４２０は、外部ネットワークであるインターネットＩＮと通信を実行するための要素であり、インターネットＩＮとの間で電気信号を送受信する。外部通信部４２０は、必要に応じてプロトコル変換を行うことが可能である。
【００４１】
制御部４３０は、通信割振部４３２と、データ通信部４３４と、通信頻度特性取得部４３６と、ベアラ決定部４３８とを備える。データ通信部４３４は、ユーザ装置１０にて実行される複数のアプリケーションＡの各々と通信（パケットの送受信）を実行する。通信頻度特性取得部４３６は、各アプリケーションＡの通信頻度特性ＶＣをアプリケーションＡ毎に取得する。ベアラ決定部４３８は、各アプリケーションＡの通信に用いられるベアラＢを、アプリケーションＡ毎に取得された通信頻度特性ＶＣに応じてアプリケーションＡ毎に決定し、アプリケーションＡとベアラＢとの対応情報を通信割振部４３２に通知する。通信割振部４３２は、ベアラ決定部４３８から通知された対応情報に基づいて各アプリケーションＡの通信を各ベアラＢに割り振る。
【００４２】
制御部４３０および制御部４３０に含まれる各要素（通信割振部４３２、データ通信部４３４、通信頻度特性取得部４３６、およびベアラ決定部４３８）は、ゲートウェイ４０内の図示しないＣＰＵが、図示しない記憶部に記憶されたコンピュータプログラムを実行し、そのコンピュータプログラムに従って機能することにより実現される機能ブロックである。
【００４３】
２．送受信動作
２（１）．  アプリケーションによる通信とベアラとの関係
図５は、アプリケーションＡによる通信とベアラＢとの関係を例示する図である。ベアラＢ１，Ｂ２，及びＢ３がユーザ装置１０と基地局２０との通信のために設定され、ベアラＢ４，Ｂ５，及びＢ６が基地局２０とゲートウェイ４０との通信のために設定されていると想定する。ベアラＢ１とＢ４、ベアラＢ２とＢ５、およびベアラＢ３とＢ６がそれぞれ対応する。前述の通り、ユーザ装置１０にて実行されるアプリケーションＡはベアラＢを用いて通信を実行する。単一のベアラＢが複数のアプリケーションＡの通信に利用され得る。複数のベアラＢの各々は、相異なる属性値（容量、誤り特性、遅延等）を有し得る（対応するベアラＢは同じ属性値を有し得る）。したがって、あるアプリケーションＡがどのベアラＢを用いて通信するかは、そのアプリケーションＡの通信頻度特性ＶＣとベアラＢの属性値とが整合するように、ベアラ決定部１２８により決定される。例えば、データをより高頻度に送受信するアプリケーションＡには、より容量の大きいベアラＢが割り当てられる。
【００４４】
図５では、１つのアプリケーションＡ１がベアラＢ１，Ｂ４に割り当てられ、２つのアプリケーションＡ２及びＡ３がベアラＢ２，Ｂ５に割り当てられ、３つのアプリケーションＡ３，Ａ４，及びＡ５がベアラＢ３，Ｂ６に割り当てられる構成が例示されている。アプリケーション実行部１２４で実行されるアプリケーションＡ１が生成したデータパケットは、通信割振部１２２によってベアラＢ１を介して基地局２０に送信され、さらにベアラＢ４を介してゲートウェイ４０に送信される。他のアプリケーションＡおよびベアラＢについても同様である。なお、通信割振部１２２は、３ＧＰＰ規格に規定されるTraffic Flow Template（例えば、3GPP TS 24.008 V11.1.2の10.5.6.12に規定）に基づいて構成されると好適である。
【００４５】
ユーザ装置１０からネットワークＮＷ側への上りリンク通信について説明したが、ネットワークＮＷ側からユーザ装置１０への下りリンク通信についても以上と同様である。すなわち、ゲートウェイ４０において、宛先であるアプリケーションＡの通信頻度特性ＶＣに応じてベアラＢが決定される。データ通信部４３４がアプリケーションＡ１に対して送信するデータパケットは、通信割振部４３２によってベアラＢ４を介して基地局２０に送信され、さらにベアラＢ１を介してユーザ装置１０に送信される。他のアプリケーションＡおよびベアラＢについても同様である。
【００４６】
２（２）．間欠受信状態への遷移および間欠受信動作
図６は、連続受信（Continuous Reception）状態から間欠受信（Discontinuous Reception，ＤＲＸ）状態へ遷移する際のユーザ装置１０および基地局２０の動作の説明図である。連続受信状態とは、基地局２０から送信される制御信号をユーザ装置１０が連続的に受信可能な状態（受信動作が連続的に実行される状態）を意味し、より具体的には、ユーザ装置１０への送受信制御情報（スケジュール情報等）を示す下り制御チャネル（Physical Downlink Control Channel，PDCCH）をユーザ装置１０が連続的に監視（受信）する状態を意味する。他方、間欠受信状態とは、ユーザ装置１０が制御信号を間欠的に受信可能な状態（受信動作が間欠的に実行される状態）を意味し、より具体的には、ユーザ装置１０が下り制御チャネルを間欠的に監視（受信）する状態を意味する。
【００４７】
基地局２０は、無線接続中のユーザ装置１０に対して制御信号およびパケットを送信する。基地局２０からユーザ装置１０への送受信（下りリンク送受信）が完了すると、ユーザ装置１０および基地局２０はそれぞれ間欠受信遷移タイマ（DRX Inactivity Timer）ＤＩＴを起動する（ｔ０１〜ｔ０５の各時刻）。間欠受信遷移タイマＤＩＴは、間欠受信遷移タイマ値ＶＤが経過すると満了する（時刻ｔ０７）。また、ユーザ装置１０および基地局２０は、間欠受信遷移タイマＤＩＴが満了する前に基地局２０からユーザ装置１０に制御信号が送信された場合、再度間欠受信遷移タイマＤＩＴを起動する（ｔ０２〜ｔ０５の各時刻）。すなわち、制御信号の送受信により間欠受信遷移タイマＤＩＴがリセットされる。間欠受信遷移タイマＤＩＴが満了すると、ユーザ装置１０は間欠受信状態（ＤＲＸ状態）へと遷移する。すなわち、間欠受信遷移タイマ値ＶＤは、連続受信状態においてユーザ装置１０が制御信号を受信しなくなってから間欠受信状態に遷移するまでの所要時間である。
【００４８】
間欠受信状態に遷移すると、ユーザ装置１０は、間欠受信周期ＤＣ毎に１回、間欠受信継続時間（On Duration）ＯＤにわたって受信動作（下り制御チャネルの監視）を実行する（時刻ｔ０８〜時刻ｔ０９、時刻ｔ１０〜時刻ｔ１１）。ここで、基地局２０の送信動作は任意に実行され得るが、ユーザ装置１０が受信動作を実行している期間に下りリンク送信が実行されると好適である。間欠受信状態において、アイドル遷移タイマＩＴＴが満了した場合（間欠受信状態が開始してから所定のアイドル遷移タイマ値ＶＩが経過するまでユーザ装置１０が制御信号を受信しなかった場合）、ユーザ装置１０はアイドル状態（基地局２０との無線接続が解放された状態）へと遷移し、間欠受信状態が終了する。また、間欠受信状態において制御信号を受信した場合、ユーザ装置１０は連続受信状態に遷移する。
【００４９】
２（３）．複数のアプリケーションが実行される場合の間欠受信動作における問題点
図７を参照して、ユーザ装置１０（アプリケーション実行部１２４）にて複数のアプリケーションＡが実行される場合の間欠受信動作について説明する。図７の例では、ユーザ装置１０において２つのアプリケーションＡ１，Ａ２が実行されていると想定する。前述の通り、各アプリケーションＡは通信（パケット送受信）を実行可能である。
【００５０】
アプリケーションＡ１は、間欠受信状態全体の期間は短く受信動作の実行頻度が高い間欠受信を実行すべき通信頻度特性ＶＣを有する。したがって、図７に示すように、アプリケーションＡ１については、比較的短いアイドル遷移タイマＩＴＴ−Ａ１および比較的短い間欠受信周期ＤＣ−Ａ１が設定されると好適である。
【００５１】
他方、アプリケーションＡ２は、受信動作の実行頻度は低く間欠受信状態全体の期間が長い間欠受信を実行すべき通信頻度特性ＶＣを有する。したがって、図７に示すように、アプリケーションＡ２については、比較的長いアイドル遷移タイマＩＴＴ−Ａ２および比較的長い間欠受信周期ＤＣ−Ａ２が設定されると好適である。
【００５２】
項目２（２）で前述した構成では、１つのユーザ装置１０には単一のアイドル遷移タイマＩＴＴおよび単一の間欠受信周期ＤＣが設定される。したがって、前述した項目２（２）の構成においてアプリケーションＡ１およびＡ２の双方の要求を充足するには、図７に示すように、より長いアイドル遷移タイマＩＴＴ−Ａ２をユーザ装置１０のアイドル遷移タイマＩＴＴ−ＵＥに設定し、より短い間欠受信周期ＤＣ−Ａ１をユーザ装置１０の間欠受信周期ＤＣ−ＵＥに設定する必要がある。しかしながら、以上の設定では、長時間にわたり高頻度の受信動作が実行されるから、ユーザ装置１０の消費電力が増大してしまう。
【００５３】
３．複数のアプリケーションによる通信に適した間欠受信動作
図８を参照して、複数のアプリケーションＡによる通信に適した間欠受信動作を説明する。本項目の構成においては、ユーザ装置１０において２つのアプリケーションＡ１，Ａ２が実行されていると想定する。また、アプリケーションＡ１はベアラＢ１を用いて通信し、アプリケーションＡ２はベアラＢ２を用いて通信すると想定する。
【００５４】
各ベアラＢに割り振られたアプリケーションＡの通信頻度特性ＶＣに基づいて、各ベアラＢの間欠受信パラメータＤＰが設定される。図８の例では、アプリケーションＡ１の通信頻度特性ＶＣ１に基づいてベアラＢ１の間欠受信パラメータＤＰが設定され、アプリケーションＡ２の通信頻度特性ＶＣ２に基づいてベアラＢ２の間欠受信パラメータＤＰが設定される。なお、複数のアプリケーションＡが１つのベアラＢに割り振られる場合には、それらのアプリケーションＡに対応する複数の通信頻度特性ＶＣに基づいて、そのベアラＢの間欠受信パラメータＤＰが設定される。
【００５５】
本項目の構成においては、ユーザ装置１０毎に設定されるアイドル遷移タイマＩＴＴの代わりに、ベアラＢ毎に設定される間欠受信完了タイマＤＣＴが採用される。間欠受信完了タイマＤＣＴは、ベアラＢの間欠受信遷移タイマＤＩＴが満了すると起動され、所定の間欠受信完了タイマ値ＶＴが経過すると満了するタイマである。すなわち、間欠受信完了タイマ値ＶＴは、間欠受信状態が開始してから満了するまでの所要時間である。複数のベアラＢの間欠受信完了タイマＤＣＴが全て満了すると、ユーザ装置１０（無線通信部１１０）は間欠受信状態からアイドル状態へと遷移する。
【００５６】
図８に示すように、基地局２０の間欠受信パラメータ決定部２３４は、ベアラＢ１についての間欠受信パラメータＤＰ−Ｂ１（間欠受信完了タイマＤＣＴ−Ｂ１，間欠受信周期ＤＣ−Ｂ１等）を決定し、ベアラＢ２についての間欠受信パラメータＤＰ−Ｂ２（間欠受信完了タイマＤＣＴ−Ｂ２，間欠受信周期ＤＣ−Ｂ２等）を決定する。すなわち、間欠受信パラメータ決定部２３４は、間欠受信状態において受信動作を実行すべき期間を間欠受信パラメータＤＰに基づいてベアラＢ毎に取得する。
以下、便宜的に、間欠受信完了タイマＤＣＴ−Ｂ１が開始してから満了するまでの期間を期間Ｔ１と称し、間欠受信完了タイマＤＣＴ−Ｂ１が満了してから間欠受信完了タイマＤＣＴ−Ｂ２が満了するまでの期間を期間Ｔ２と称する。
【００５７】
本項目の構成においても、実際の受信動作はベアラＢ単位ではなくユーザ装置１０（無線通信部１１０）単位で実行される。前述のように、ユーザ装置１０の間欠受信制御部１３０は、基地局２０の間欠受信パラメータ送信部２３８から供給された間欠受信パラメータＤＰに基づいて無線通信部１１０を制御する。図８の期間Ｔ１においては、ベアラＢ１については間欠受信周期ＤＣ−Ｂ１にて受信動作を実行すると好適であり、ベアラＢ２については間欠受信周期ＤＣ−Ｂ２にて受信動作を実行すると好適であるから、より高頻度の間欠受信周期ＤＣ−Ｂ１にて受信動作を実行するように無線通信部１１０が制御される。また、図８の期間Ｔ２においては、ベアラＢ１については受信動作を実行せず、ベアラＢ２については間欠受信周期ＤＣ−Ｂ２にて受信動作を実行すると好適であるから、間欠受信周期ＤＣ−Ｂ２にて受信動作を実行するように無線通信部１１０が制御される。すなわち、間欠受信制御部１３０は、いずれかのベアラＢで受信動作を実行すべき期間において受信動作を実行するように無線通信部１１０を制御する。換言すると、ベアラＢ毎に求められた受信動作を実行すべき期間の論理和である期間において受信動作が実行されるように、無線通信部１１０が制御される。
【００５８】
基地局２０は、以上のように実行されるユーザ装置１０の間欠受信動作と調和して、そのユーザ装置１０への下りリンク送信を実行する。すなわち、基地局２０の送信制御部２３６は、間欠受信パラメータ送信部２３８から供給された間欠受信パラメータＤＰに基づいて、上述と同様に、ユーザ装置１０が受信動作を実行すべき期間をベアラＢに判定した後に、いずれかのベアラＢにて受信動作を実行すべき期間を、そのユーザ装置１０が受信動作を実行している期間と判定する。そして、送信制御部２３６は、そのユーザ装置１０が受信動作を実行していると判定した期間において、ユーザ装置１０に制御信号およびパケットを送信するように無線通信部２１０を制御する。
【００５９】
４．間欠受信動作の詳細
以上の図８の構成においては、説明を簡略化するために、間欠受信状態が開始する時点が複数のベアラＢ毎に共通である構成が例示される。しかしながら、ベアラＢ毎に設定される間欠受信遷移タイマ値ＶＤや各ベアラＢの送受信タイミング等によっては、間欠受信状態が開始する時刻がベアラＢ毎に相異なる場合もあり得る。以上の場合、間欠受信状態の開始と同時に最初の受信動作が実行されると、図９に示すように、受信動作を実行すべき期間がベアラＢ毎に相違することにより、受信動作の総実行期間が増大する可能性がある。
また、各ベアラＢにおいて間欠受信周期ＤＣが任意に決定されると、図１０に示すように、受信動作を実行すべき期間がベアラＢ毎に相違することにより受信動作の実行期間が増大する可能性がある。
そこで、以下のように間欠受信パラメータＤＰが決定されると好適である。
【００６０】
図１１は、ユーザ装置１０と基地局２０との無線通信に用いられる無線フレームＦの構成を示す図である。無線フレームＦは、ユーザ装置１０および基地局２０が送信する無線信号の送信単位であり、所定の時間長（例えば、１０ミリ秒）および所定の周波数帯域幅（例えば、１５ＭＨｚ幅）を占める。無線フレームＦが連続的に送信されることにより一連の無線信号が構成される。無線フレームＦは複数のサブフレームＳＦを含む。サブフレームＳＦは、無線フレームＦよりも短い時間長（例えば、１ミリ秒）を占める送信単位であり、無線フレームＦの先頭から順に番号付け（図１１では、＃０〜＃９）される。
【００６１】
本項目の構成において、基地局２０の間欠受信パラメータ決定部２３４は、間欠受信パラメータＤＰとして、前述の値に加え、間欠受信状態に遷移した後、ユーザ装置１０が最初に受信動作を実行する時間である間欠受信オフセット値ＶＯをベアラＢ毎に決定する。間欠受信オフセット値ＶＯは、好適にはサブフレーム番号（＃０〜＃９）である。
【００６２】
図１２は、間欠受信状態を開始すべき時刻がベアラＢ１とベアラＢ２とで相違する場合の間欠受信動作の一例を示す図である。図１２に示す通り、ベアラＢ１について間欠受信状態を開始すべき時点は無線フレームＦ１内のサブフレームＳＦ＃０の開始時点である一方、ベアラＢ２について間欠受信状態を開始すべき時点は無線フレームＦ１内のサブフレームＳＦ＃５の開始時点である。また、ベアラＢ１およびベアラＢ２の間欠受信周期ＤＣは、１０サブフレームＳＦ長（すなわち、１０ミリ秒）である。
【００６３】
間欠受信パラメータ決定部２３４は、ユーザ装置１０において間欠受信オフセット値ＶＯ（ＶＯ１，ＶＯ２）をベアラＢ１，Ｂ２で共通の値になるように決定する。図１２の例では、サブフレーム番号「＃２」が共通の間欠受信オフセット値ＶＯとして決定される。
【００６４】
ユーザ装置１０の間欠受信制御部１３０は、基地局２０から送信された間欠受信パラメータＤＰ（間欠受信オフセット値ＶＯ、間欠受信周期ＤＣ等）に基づいて無線通信部１１０を制御する。すなわち、間欠受信制御部１３０は、ベアラＢ１については、間欠受信状態が開始した後の初回のサブフレームＳＦ＃２である無線フレームＦ１のサブフレームＳＦ＃２から間欠受信動作を開始し、以後、間欠受信周期ＤＣである１０サブフレームＳＦ長毎に（すなわち、各無線フレームＦのサブフレームＳＦ＃２において）受信動作を実行すべきと判定すると共に、ベアラＢ２については、受信状態が開始した後の初回のサブフレームＳＦ＃２である無線フレームＦ２のサブフレームＳＦ＃２から間欠受信動作を開始し、以後、間欠受信周期ＤＣである１０サブフレームＳＦ長毎に受信動作を実行すべきと判定する。そして、間欠受信制御部１３０は、ベアラＢ１とベアラＢ２とのいずれかについて受信動作を実行すべきと判定した期間において（すなわち、各無線フレームＦのサブフレームＳＦ＃２において）受信動作を実行するように無線通信部１１０を制御する。
なお、前述と同様、基地局２０は、以上のように実行されるユーザ装置１０の間欠受信動作と調和して（すなわち、以上のように決定されるユーザ装置１０の受信動作実行期間において）、そのユーザ装置１０への下りリンク送信を実行することが可能である。
【００６５】
以上のように、各間欠受信オフセット値ＶＯがベアラＢ毎に共通の値になるように決定されることにより、間欠受信状態に遷移した後に最初の受信動作が実行される時点がベアラＢ毎に共通となる。したがって、各ベアラＢについて、間欠受信状態に遷移した直後に受信動作を実行すべきと判定される構成（例えば、図１２）と比較して、受信動作を実行すべき期間がベアラＢ毎に共通となるケースが増大するので、間欠受信状態のユーザ装置１０における受信動作の総実行時間が削減され得、ひいてはユーザ装置１０の消費電力が削減され得る。
【００６６】
図１３は、間欠受信周期ＤＣがベアラＢ１とベアラＢ２とで相違する場合の間欠受信動作の一例を示す図である。図１３に示す通り、ベアラＢ１およびベアラＢ２について間欠受信状態を開始すべき時点は、共に、無線フレームＦ１内のサブフレームＳＦ＃２の開始時点であると想定する。
【００６７】
間欠受信パラメータ決定部２３４は、ユーザ装置１０における間欠受信周期ＤＣの最小値を整数倍した値になるように各間欠受信周期ＤＣを決定する。図１３の例では、ベアラＢ１の間欠受信周期ＤＣ１は１０サブフレームＳＦ長であり、ベアラＢ２の間欠受信周期ＤＣ２は２０サブフレームＳＦ長である。すなわち、間欠受信周期ＤＣ２は、最小値である間欠受信周期ＤＣ１の２倍（整数倍）となるように設定されている。
【００６８】
ユーザ装置１０の間欠受信制御部１３０は、基地局２０から送信された間欠受信パラメータＤＰ（間欠受信周期ＤＣ１，ＤＣ２等）に基づいて無線通信部１１０を制御する。すなわち、間欠受信制御部１３０は、ベアラＢ１については、無線フレームＦ１内のサブフレームＳＦ＃２を起点として１０サブフレームＳＦ長毎に受信動作を実行すべきと判定すると共に、ベアラＢ２については、無線フレームＦ１内のサブフレームＳＦ＃２を起点として２０サブフレームＳＦ長毎に受信動作を実行すべきと判定する。そして、ベアラＢ１とベアラＢ２とのいずれかについて受信動作を実行すべきと判定された期間において（すなわち、各無線フレームＦのサブフレームＳＦ＃２において）受信動作を実行するように無線通信部１１０を間欠受信制御部１３０が制御する。
【００６９】
なお、前述と同様、基地局２０は、以上のように実行されるユーザ装置１０の間欠受信動作と調和して（すなわち、以上のように決定されるユーザ装置１０の受信動作実行期間において）、そのユーザ装置１０への下りリンク送信を実行することが可能である。
【００７０】
以上のように、各間欠受信周期ＤＣが、ユーザ装置１０における間欠受信周期ＤＣの最小値を整数倍した値になるように決定されることにより、最小の間欠受信周期ＤＣに基づいて判定された受信動作を実行すべき期間と、その他の（すなわち、より大きい）間欠受信周期ＤＣに基づいて判定された受信動作を実行すべき期間とが重畳されることとなる。したがって、以上のような制限を加えずに任意にベアラＢ毎の間欠受信周期ＤＣが設定される構成（例えば、図１３）と比較して、受信動作を実行すべき期間がベアラＢ毎に共通となるケースが増大するので、間欠受信状態のユーザ装置１０における受信動作の総実行時間が削減され得、ひいてはユーザ装置１０の消費電力が削減され得る。
【００７１】
変形例
以上の実施の形態は多様に変形される。具体的な変形の態様を以下に例示する。以下の例示から任意に選択された２以上の態様は相互に矛盾しない限り適宜に併合され得る。
【００７２】
（１）変形例１
以上の実施形態では、基地局２０（間欠受信パラメータ決定部２３４）が間欠受信パラメータＤＰを決定するが、無線通信システム１内の任意の要素が間欠受信パラメータＤＰを決定し得る。例えば、ユーザ装置１０が、間欠受信パラメータＤＰを決定する間欠受信パラメータ決定部を備えてもよい。通信頻度特性ＶＣに基づいて決定された間欠受信パラメータＤＰは間欠受信制御部１３０に供給され、実施形態と同様の制御が実行される。以上の場合、決定された間欠受信パラメータＤＰが、無線通信部１１０を介して基地局２０の送信制御部２３６に供給され、実施形態と同様の制御が実行されると好適である。
また、ゲートウェイ４０が間欠受信パラメータ決定部を備える構成も採用可能である。
【００７３】
（２）変形例２
ユーザ装置１０および基地局２０が、それぞれ別個に間欠受信パラメータ決定部を備えてもよい。以上の構成によれば、決定された間欠受信パラメータＤＰを基地局２０からユーザ装置１０へ（またはユーザ装置１０から基地局２０へ）送信する必要がないから、ユーザ装置１０と基地局２０との無線通信のトラヒックが削減され得る。
【００７４】
（３）変形例３
以上の実施形態では、間欠受信遷移タイマＤＩＴ（間欠受信遷移タイマ値ＶＤ）、間欠受信オフセット値ＶＯ、間欠受信周期ＤＣ、および間欠受信完了タイマＤＣＴ（間欠受信完了タイマ値ＶＴ）が、ベアラＢ毎の通信頻度特性ＶＣに基づいて決定される。しかしながら、以上の間欠受信パラメータＤＰのうち一部が通信頻度特性ＶＣに基づかずに、例えば予め定められた固定値として決定されてもよい。
【００７５】
（４）変形例４
ユーザ装置１０は基地局２０と無線通信が可能な任意の装置であればよい。すなわち、ユーザ装置１０は、例えばフィーチャーフォンまたはスマートフォン等の携帯電話端末でもよく、デスクトップ型パーソナルコンピュータでもよく、ノート型パーソナルコンピュータでもよく、ＵＭＰＣ（Ultra-Mobile Personal Computer）でもよく、携帯用ゲーム機でもよく、その他の無線端末でもよい。
【００７６】
（５）変形例５
無線通信システム１内の各要素（ユーザ装置１０、基地局２０、交換局３０、ゲートウェイ４０等）においてＣＰＵが実行する各機能は、ＣＰＵの代わりに、ハードウェアで実行してもよいし、例えばＦＰＧＡ（Field Programmable Gate Array）、ＤＳＰ（Digital Signal Processor）等のプログラマブルロジックデバイスで実行してもよい。
【符号の説明】
【００７７】
１……無線通信システム、１０……ユーザ装置、１１０……無線通信部、１２０……制御部、１２２……通信割振部、１２４……アプリケーション実行部、１２６……通信頻度特性取得部、１２８……ベアラ決定部、１３０……間欠受信制御部、２０……基地局、２１０……無線通信部、２２０……ネットワーク通信部、２３０……制御部、２３２……転送部、２３４……間欠受信パラメータ決定部、２３６……送信制御部、２３８……間欠受信パラメータ送信部、３０……交換局、４０……ゲートウェイ、４１０……ネットワーク通信部、４２０……外部通信部、４３０……制御部、４３２……通信割振部、４３４……データ通信部、４３６……通信頻度特性取得部、４３８……ベアラ決定部、Ａ……アプリケーション、Ｂ……ベアラ、ＣＶ……通信頻度特性、ＤＣ……間欠受信周期、ＤＣＴ……間欠受信完了タイマ、ＤＩＴ……間欠受信遷移タイマ、ＤＰ……間欠受信パラメータ、Ｆ……無線フレーム、ＩＮ……インターネット、ＩＴＴ……アイドル遷移タイマ、ＮＷ……ネットワーク、ＳＦ……サブフレーム、Ｔ……期間、ＶＣ……通信頻度特性、ＶＤ……間欠受信遷移タイマ値、ＶＩ……アイドル遷移タイマ値、ＶＯ……間欠受信オフセット値、ＶＴ……間欠受信完了タイマ値。
【図１】
0005993599.tif 000002
【図２】
0005993599.tif 000003
【図３】
0005993599.tif 000004
【図４】
0005993599.tif 000005
【図５】
0005993599.tif 000006
【図６】
0005993599.tif 000007
【図７】
0005993599.tif 000008
【図８】
0005993599.tif 000009
【図９】
0005993599.tif 000010
【図１０】
0005993599.tif 000011
【図１１】
0005993599.tif 000012
【図１２】
0005993599.tif 000013
【図１３】
0005993599.tif 000014